(57)【特許請求の範囲】
【請求項１】
前部間に鍵盤を収容するとともに、内面後部に前後方向に延びるガイド溝をそれぞれ形成した左右の腕木と、
これら左右の腕木の後部間を覆うとともに、前端が前記ガイド溝の前縁よりも後方に位置するように配置された上屋根と、
後端部から両側外方に突出し且つ前記左右の腕木の前記ガイド溝にそれぞれスライド自在かつ回動自在に係合する左右のガイド突起を有し、これらのガイド突起が前記ガイド溝に沿って案内されることにより、前記上屋根の下側に収容され、前記鍵盤を開放する開放位置と、前記上屋根の下側から突出し、前記鍵盤を覆う閉鎖位置との間で、前後方向にスライド可能であるとともに、前記ガイド突起を中心として上方に回動させたときに、前記上屋根の前端に当接し、斜め後方に傾いた姿勢で立て掛けられる鍵盤蓋と、
を備えていることを特徴とする鍵盤楽器の鍵盤蓋の開閉構造。
【請求項２】
前記鍵盤蓋が前部両側にガイド当接部を有し、前記左右の腕木に、前記鍵盤蓋がスライドする際に前記ガイド当接部を載せた状態で案内する、上側が開放したガイド段部が形成されていることを特徴とする、請求項１に記載の鍵盤楽器の鍵盤蓋の開閉構造。
【請求項３】
前記鍵盤蓋の前記閉鎖位置は、前記ガイド突起が前記ガイド溝の前縁に当接することによって規定され、前記鍵盤蓋は、この閉鎖位置から後方に回動可能であることを特徴とする、請求項１または２に記載の鍵盤楽器の鍵盤蓋の開閉構造。
【請求項４】
前記上屋根の前端の下方に操作パネルが配置され、この操作パネルに譜面受けが設けられていることを特徴とする、請求項１ないし３のいずれかに記載の鍵盤楽器の鍵盤蓋の開閉構造。
【発明の詳細な説明】
【０００１】
【発明の属する技術分野】
本発明は、電子ピアノやオルガンなどの鍵盤蓋を開閉するための鍵盤楽器の鍵盤蓋の開閉構造に関する。
【０００２】
【従来の技術】
従来の電子ピアノの鍵盤蓋の開閉構造として、スライド開閉式のものがよく用いられており、例えば実公平７−４９５１１号公報に開示されている。図５に示すように、この開閉構造では、鍵盤蓋５１の後端部に設けた回転軸５２の両端部に左右一対のピニオン５３（一方のみ図示）が設けられるとともに、ピニオン５３から外方に突出した回転軸５２の部分がガイド突起５４になっている。一方、ピアノ本体５５の左右の腕木５６（一方のみ図示）の内面には、その後半部すなわち上屋根５７の下側に、ラック５８およびガイド溝５９が前後方向に延びるように形成されていて、これらラック５８およびガイド溝５９にピニオン５３およびガイド突起５４がそれぞれ係合している。
【０００３】
上屋根５７は、前部が斜め下方に屈曲して、ガイド溝５９の前端よりも前側の付近に上方から臨んでおり、また、その下方には操作パネル６０が配置されている。このような構成により、鍵盤蓋５１は、そのピニオン５３およびガイド突起５４がラック５８およびガイド溝５９で案内されることにより、上屋根５７と操作パネル６０の間の間隙を介して前後方向にスライド可能で、ピアノ本体５５から引き出され、操作パネル６０および鍵盤６１を覆う閉鎖位置と、ピアノ本体５５内に収容され、操作パネル６０および鍵盤６１を開放する開放位置（図示の位置）との間で、スライドする。また、上屋根５７の上面には譜面台６２が回動自在に取り付けられており、演奏時には、図に示すように起こした状態で使用され、その前側に設けた譜面受け６３との間に譜面（図示せず）が斜めに立てかけられる。
【０００４】
【考案が解決しようとする課題】
しかし、このような従来の鍵盤蓋の開閉構造では、鍵盤蓋５１が前後方向に単純にスライドし、開放位置ではピアノ本体５５内に完全に収容されるように構成されているため、上述したように、鍵盤蓋５１とは別個に譜面台６２を設けざるを得ない。このため、その分の部品点数が増大することでコストアップにつながるとともに、演奏を開始する際には、鍵盤蓋５１を開放し、次いで譜面台６２を起こすという２段階の操作を経なければならないという欠点がある。なお、このような欠点を解消するために、鍵盤蓋を、スライド式からアコースティックピアノに見られるような回動式に変更することも考えられるが、その場合には、鍵盤蓋を開放したときに鍵盤蓋がピアノ本体から大きくはみ出てしまい、譜面台を使用せずに演奏する場合でも、演奏者の顔が見えにくくなるなどの別の不具合を招いてしまう。
【０００５】
本発明は、このような課題を解決するためになされたものであり、鍵盤蓋を譜面台として兼用することができ、それにより、部品点数の削減によるコストダウンと操作性の向上を図れるとともに、譜面台が不要の場合には、鍵盤蓋をコンパクトに収容することができる鍵盤楽器の鍵盤蓋の開閉構造を提供することを目的としている。
【０００６】
【課題を解決するための手段】
この目的を達成するため、本発明の鍵盤楽器の鍵盤蓋の開閉構造は、前部間に鍵盤を収容するとともに、内面後部に前後方向に延びるガイド溝をそれぞれ形成した左右の腕木と、これら左右の腕木の後部間を覆うとともに、前端がガイド溝の前縁よりも後方に位置するように配置された上屋根と、後端部から両側外方に突出し且つ左右の腕木のガイド溝にそれぞれスライド自在かつ回動自在に係合する左右のガイド突起を有し、これらのガイド突起がガイド溝に沿って案内されることにより、上屋根の下側に収容され、鍵盤を開放する開放位置と、上屋根の下側から突出し、鍵盤を覆う閉鎖位置との間で、前後方向にスライド可能であるとともに、ガイド突起を中心として上方に回動させたときに、上屋根の前端に当接し、斜め後方に傾いた姿勢で立て掛けられる鍵盤蓋と、を備えていることを特徴としている。
【０００７】
この鍵盤楽器の鍵盤蓋の開閉構造によれば、鍵盤蓋は、その後端部から側方に突出するガイド突起が、腕木の内面に形成したガイド溝に沿って案内されることによって、開放位置と閉鎖位置との間でスライドし、開閉される。鍵盤蓋は、開放位置では、上屋根の下側にコンパクトに収容されて、鍵盤を開放し、閉鎖位置では、上屋根の下側から突出して、鍵盤を覆う。
【０００８】
また、この開閉構造では、上屋根の前端がガイド溝の前縁よりも後方に位置するように配置されているため、鍵盤蓋は、上屋根と干渉することなく、ガイド突起を中心として回動可能で、上方へ回動したときに、上屋根の前端に当接し、斜め後方に傾いた姿勢で立て掛けられる。そして、この状態の鍵盤蓋に譜面を立てて、譜面台として用いることができる（以下、この位置を「譜面台使用位置」という）。その結果、別個の譜面台が不要となることにより、部品点数の削減によるコストダウンを図ることができる。また、鍵盤蓋のみの操作で、その開閉と譜面台のセットを行えるので、従来よりも操作性が向上する。
【０００９】
以上のように、この鍵盤蓋の開閉構造では、鍵盤蓋が、閉鎖位置、開放位置および譜面台使用位置の、計３つの位置をとることができ、例えば、非演奏時には閉鎖位置に移動させ、譜面を用いて演奏を行う場合には譜面台使用位置に移動させるとともに、譜面を用いずに演奏を行う場合には開放位置に移動させて鍵盤蓋をコンパクトに収容するというように、これら３つの位置を状況に応じて適切に使い分けることができる。
【００１０】
この場合、鍵盤蓋が前部両側にガイド当接部を有し、左右の腕木に、鍵盤蓋がスライドする際にガイド当接部を載せた状態で案内する、上側が開放したガイド段部が形成されていることが好ましい。
【００１１】
この構成によれば、鍵盤蓋をスライドさせる際、その前部のガイド当接部が腕木のガイド段部に載った状態で案内されることによって、鍵盤蓋をより円滑にスライドさせることができる。また、このガイド段部は、上側が開放されているので、鍵盤蓋の回動を妨げない。
【００１２】
この場合、鍵盤蓋の閉鎖位置は、ガイド突起がガイド溝の前縁に当接することによって規定され、鍵盤蓋は、この閉鎖位置から上方に回動可能であることが好ましい。
【００１３】
この構成では、鍵盤蓋を、その閉鎖位置から先方へ単純に押すことによって、開放位置にスライドさせることができる一方、閉鎖位置で手前に若干引きながら上方へ回動させることによって、譜面台使用位置に移動させることができる。このように、閉鎖位置からの操作を変えるだけで、鍵盤蓋を開放位置または譜面台使用位置に選択的に移動させることができ、その操作性を向上させることができる。
【００１４】
これらの場合、上屋根の前端の下方に操作パネルが配置され、この操作パネルに譜面受けが設けられていることが好ましい。
【００１５】
この構成では、鍵盤蓋を譜面台使用位置に移動させるだけで、鍵盤蓋と譜面受けの間に譜面を立て掛けることができ、その操作性をさらに向上させることができる。
【００１６】
【発明の実施の形態】
以下、本発明の好ましい実施形態を、図面を参照しながら説明する。図１〜図３は、本発明の一実施形態による鍵盤蓋の開閉構造を組み込んだ電子ピアノを示している。これらの図に示すように、この電子ピアノ１は、ケース状のピアノ本体２と、その内部に収容された複数の鍵盤３、操作パネル４および発音制御装置（図示せず）と、ピアノ本体２を開閉する鍵盤蓋５などを備えている。
【００１７】
ピアノ本体２は、いずれも木製の棚板６、左右の腕木７、７（左棚板のみ図示）、上屋根８、背板９および口棒１０を組み立てることによって、横長の浅い箱状に形成されている。また、上屋根８は、平坦な板で構成され、ピアノ本体２の後半部を覆っていて、その前端が斜めに傾斜した当接面８ａになっており、その前端と口棒１０との間の開放部分が、鍵盤蓋５によって開閉される。
【００１８】
鍵盤３は、複数の樹脂製の白鍵３ａおよび黒鍵３ｂで構成されている（各１個のみ図示）。各鍵盤３は、後端部が、鍵盤シャーシ１１にねじ止めされた軸受部材１２に回動自在に支持されているとともに、コイルばね１３によって、復帰方向に常時、付勢されている。この鍵盤シャーシ１１は、折曲げ加工された鋼板などで構成され、棚板６にねじ止めされている。また、鍵盤３の前端部には、フック状のストッパ部１４が形成される一方（白鍵３ａのもののみ図示）、鍵盤シャーシ１１の前端部の下面および上面には、白鍵３ａおよび黒鍵３ｂ用の上限ストッパ１５ａ、１５ｂおよび下限ストッパ１６ａ、１６ｂがそれぞれ設けられている。この構成により、白鍵３ａおよび黒鍵３ｂは、ストッパ部１４が上限ストッパ１５ａ、１５ｂに当接する離鍵位置（図示の位置）と、鍵盤下面が下限ストッパ１６ａ、１６ｂに当接する限界押鍵位置（図示せず）との範囲内で、回動可能である。
【００１９】
また、鍵盤３の下方には、その押鍵状態を検出するための鍵盤スイッチ１７が、鍵盤３ごとに設けられている。この鍵盤スイッチ１７は、プリント基板１８およびスイッチ本体１９を備え、鍵盤シャーシ１１に取り付けられており、押鍵時、スイッチ本体１９が鍵盤３のアクチュエータ部２０で押されることにより、鍵盤３の押鍵の有無および押鍵速度を検出する。そして、この検出結果に応じて、前記発音制御装置により電子ピアノ１の発音が制御される。
【００２０】
操作パネル４は、アルミニウムなどの金属で構成され、鍵盤３の後部を覆うよう、ピアノ本体２の幅いっぱいに左右方向に延びており、その両端部が腕木７にねじ止めされている。また、操作パネル４の上面前端部には、その左右方向の中央部に位置して、アルミニウム製や樹脂製の譜面受け２１が取り付けられており、譜面受け２１の左右両側には、電子ピアノ１の音色や音響効果などを選択するための各種コントロールスイッチ（図示せず）が設けられている。
【００２１】
鍵盤蓋５は、図４にも示すように、矩形の平坦な板状の蓋本体２２と、その前後端部にそれぞれ差し込まれ、取り付けられた前枠体２３および後枠体２４を備えている。蓋本体２２は、例えばアクリルなどの樹脂で構成されている。前枠体２３は、例えば塩ビで構成され、手掛け部２３ａと、鍵盤蓋５の閉鎖時に口棒１０に当接する当接部２３ｂ（ガイド当接部）を備えている。また、後枠体２４は、例えばアルミニウムの押出し材で構成され、その後端部には軸２５が左右方向に貫通して取り付けられており、この軸２５の両端部は、図４に示すように、後枠体２４から外方に突出し、左右のガイド突起２６（一方のみ図示）を構成している。
【００２２】
一方、左右の腕木７の内面の後部には、上屋根８と操作パネル４の間でかつ上屋根８の前端よりも若干前側の位置と、背板９付近の位置との間に、ガイド溝２７が前後方向に延びるように形成されている。このガイド溝２７は、前部がほぼ水平で、中央部が斜め後ろ下がりに傾斜し、後部はほぼ水平になっている。また、左右の腕木７の内面の前部、すなわちガイド溝２７の前側には、口棒１０の付近とガイド溝２７の前端部の下側との間に、ガイド段部２８が前後方向に延びるように形成されている。このガイド段部２８は、その前端部が口棒１０から上方に延び、それに続く鍵盤３の上方に位置する部分が斜め後ろ上がりに緩やかに傾斜し、さらにそれに続く操作パネル４の上方に位置する部分が斜め後ろ下がりに緩やかに傾斜し、後端部が段状のストッパ部２８ａになっている。
【００２３】
そして、以上のような左右の腕木７のガイド溝２７に、鍵盤蓋５の左右のガイド突起２６がスライド自在かつ回動自在に係合しているとともに、ガイド段部２８上に鍵盤蓋５の前枠板２３の当接部２３ｂが載るようになっている。以上の構成により、鍵盤蓋５は、当接部２３ｂがガイド段部２８に載った状態で、そのガイド突起２６がガイド溝２７で案内されることによって、前後方向にスライド可能である。
【００２４】
図２に示すように、鍵盤蓋５の前方へのスライドは、ガイド突起２６がガイド溝２７の前縁に当接するとともに、当接部２３ｂが口棒１０に載ることによって、規制される。この位置が鍵盤蓋５の閉鎖位置であり、鍵盤蓋５は、鍵盤３および操作パネル４を閉鎖する。一方、図３に示すように、鍵盤蓋５の後方へのスライドは、ガイド突起２６がガイド溝２７の後縁に当接するとともに、当接部２３ｂがガイド段部２８のストッパ部２８ａに達することによって、規制される。この位置が鍵盤蓋５の開放位置であり、鍵盤蓋５は、上屋根８の下側に収容され、鍵盤３および操作パネル４を開放する。
【００２５】
また、上記の構成により、鍵盤蓋５は、図２の閉鎖位置と、図１に示す譜面台使用位置との間で、回動可能である。この回動は、ガイド溝２７の前端が上屋根８の前端よりも前側に位置していること、およびガイド段部２８の上側が開放されていることによって、鍵盤蓋５が上屋根８などに干渉されることなく、円滑に行うことができる。図１に示すように、鍵盤蓋５の上方への回動は、その後枠体２４が上屋根８の前端に斜めに形成された当接面８ａに当接することによって、規制される。この譜面台使用位置では、鍵盤蓋５は、斜め後方に傾いた姿勢で上屋根８に立て掛けられ、操作パネル４に形成した譜面受け２１との間に譜面Ｓを立てて、譜面台として使用することができる。
【００２６】
以上のように、本実施形態の鍵盤蓋の開閉構造では、鍵盤蓋５をスライドまたは回動させることによって、鍵盤蓋５を、閉鎖位置、開放位置および譜面台使用位置の、計３つの位置の１つに選択的に移動させることができる。例えば、非演奏時には閉鎖位置に移動させて、鍵盤３などを閉鎖し、譜面Ｓを用いて演奏を行う場合には譜面台使用位置に移動させて、鍵盤３などを開放するとともに、鍵盤蓋５を譜面台として使用するとともに、譜面Ｓを用いずに演奏を行う場合には開放位置に移動させて、鍵盤３などを開放するとともに、鍵盤蓋５をコンパクトに収容するというように、これら３つの位置を状況に応じて適切に使い分けることができる。したがって、鍵盤蓋５とは別個の譜面台が不要となることにより、部品点数の削減によるコストダウンを図ることができる。
【００２７】
また、鍵盤蓋５を、その閉鎖位置から先方へ単純に押すことによって、開放位置にスライドさせることができる一方、閉鎖位置で手前に若干引きながら上方へ回動させることによって、譜面台使用位置に移動させることができる。このように、鍵盤蓋５のみの操作でかつ閉鎖位置からの操作を変えるだけで、鍵盤蓋５を開放位置または譜面台使用位置に選択的に移動させることができ、その操作性を向上させることができる。
【００２８】
なお、実施形態では、鍵盤蓋５の後部の案内機構を、そのガイド突起２６と腕木７のガイド溝２７で構成しているが、従来技術に見られるように、ピニオンおよびラックを併用することも可能である。また、実施形態は、本発明を電子ピアノに適用した例であるが、本発明は、他のタイプの電子鍵盤楽器、さらには電子鍵盤楽器以外の鍵盤楽器、例えばオルガンなどにも適用することができる。その他、本発明の趣旨の範囲内で、細部の構成を適宜変更することが可能である。
【００２９】
【発明の効果】
以上詳述したように、本発明の鍵盤楽器の鍵盤蓋の開閉構造は、鍵盤蓋を譜面台として兼用することができ、それにより、部品点数の削減によるコストダウンと操作性の向上を図れるとともに、譜面台が不要の場合には、鍵盤蓋をコンパクトに収容することができるなどの効果を有している。
【図面の簡単な説明】
【図１】本発明を適用した電子ピアノの、鍵盤蓋が譜面台使用位置にある状態の側断面図である。
【図２】図１の電子ピアノの、鍵盤蓋が閉鎖位置にある状態の側断面図である。
【図３】図１の電子ピアノの、鍵盤蓋が開放位置にある状態の側断面図である。
【図４】鍵盤蓋の部分平面図である。
【図５】従来の鍵盤蓋の開閉構造を示す側断面図である。
【符号の説明】
１  電子ピアノ
３  鍵盤
４  操作パネル
５  鍵盤蓋
７  腕木
８  上屋根
８ａ  当接面
２１  譜面受け
２３ｂ  当接部
２６  ガイド突起
２７  ガイド溝
２８  ガイド段部
【図１】
0003652881.tif 000002
【図２】
0003652881.tif 000003
【図３】
0003652881.tif 000004
【図４】
0003652881.tif 000005
【図５】
0003652881.tif 000006